(57)【特許請求の範囲】
【請求項１】
円形の織り台と折り畳み可能な拡張台とカバーからなることを特徴とする、ボビンレース用織り台。
【請求項２】
請求項１記載の円形織り台において、中心になる素材として発泡ポリエチレンを用いたボビンレース用織り台。
【発明の詳細な説明】
【０００１】
【発明の属する技術分野】
本発明は織り台の上にレース用型紙を固定させ、糸を巻いた複数のボビンを操作して、型紙の要所をピンで止めながら織るボビンレースの織り台に関するものである。
【０００２】
【従来の技術】
十六世紀にヨーロッパで生まれたボビンレースは貴族、高位聖職者、富裕な商人に愛され盛んに織られたが、十九世紀に入ると機械レースの登場により、手工業レースは衰退した。
現在ボビンレースは主に婦人の手芸として全世界で楽しまれている。
【０００３】
従来より使用されているボビンレース用織り台は大別すると下記の二つになる。
（イ）麻布で覆われた中に藁や海の雑草などを堅く詰めて作られたもの。
（ロ）発泡スチロールを布で覆ったもの。
【０００４】
また（イ）（ロ）共に形状としては円形または四角形で、かつ織るレースの大きさに合わせて織り台を選ぶ必要がある。
【０００５】
さらに他の従来技術として、登録実用新案、第３０１６３７９号「ボビンレースの編み台装置」などが知られている。
これは編み台（織り台）の基盤になる部分を蝶番によって二つに分割可能に形成し、この基盤上に載置される台部を、左右の固定台部と中央の縦方向に移動可能な台部として形成した編み台装置の技術である。
【０００６】
【発明が解決しようとする課題】
図１を参照しつつ、従来技術について説明する。ボビンレースを織る手順としては、まず織る図案の型紙Ａを作成し、織り台Ｂの上にこの型紙Ａの四隅をピンで固定する。型紙Ａの必要な箇所にピンＣを立て、ここに糸を巻いたボビンＤをかける。ボビンＤを操作しながら必要に応じてピンをたてレースＥを織る。
【０００７】
このためレースＥの大きさに応じた織り台が必要になる。従来使われている織り台は直径４５ｃｍ、直径５０ｃｍ、直径６０ｃｍ、直径７０ｃｍのものが一般的であり、織るレースの大きさに合わせて使い分けられている。
すなわちいろいろなレースを織るためには、その大きさに合わせて複数の織り台が必要になる。
また、大きな織り台は運搬、保管の面で不便である。
【０００８】
伝統的な藁や海の雑草で作られている織り台は、耐久性に優れているものの、大きさの面から考えても大変重く運搬には不便である。これに対して発泡スチロール製のものは軽量であるものの、たくさんのピンを刺す作業を長期的に続けられるだけの耐久性に欠ける。
このため、軽量かつ耐久性のある織り台が望まれる。
また、前述の「ボビンレースの織り台装置」では、主にテープ状に長く織る場合や、四角形の縁を織るのにに適している。これに対して本発明では主に円形のレースや、織り台を回転しながら織るデザインのレースを織る場合に適している。
【０００９】
【課題を解決するための手段】
ボビンレース用の織り台としては、作成するレースの大きさにあった織り台であり、しかも運搬、保管時に小さくなることが望まれる。
この問題は円形の織り台を中心に、必要に応じて拡張台を使用することによって解決できる。
小さなレースを作製する時は円形の織り台のみを使用し、大きなレースを作製する時は拡張台を併用することによって、この織り台と拡張台とカバーの一式で小さなレースから大きなレースまで作製可能となる。
【００１０】
第二の問題点としては、織り台の重量と耐久性の問題である。
この問題は、従来の織り台の詰め物である、藁、海の雑草、発泡スチロールに代えて、発泡ポリエチレンを使用することで解決される。
発泡ポリエチレンは軽量であると同時に、ある程度の耐久性も備えている。また従来の織り台のように固定されたカバーを使用せず、取り外し可能なカバーを使用するで、詰め物が傷んだ場合は詰め物のみを交換することも可能である。
【００１１】
そこで本発明が採用する構造は、織り台、拡張台、及びカバーの三点からなる。
織り台は核となる素材が発泡ポリエチレンであることが特徴である。
拡張台は織り台の補助具である。形状は三日月形であり、織り台の円周手前に沿わせるように接合する。拡張台は中央から折り畳み可能であり、中央部分に形成したマチで織り台の円周サイズの増減に対応した設置が可能である。
カバーは半円形の布製で、織り台と拡張台を接合する場合に使用し、さらに織り台と拡張台の段差を軽減するのにも役立つ。
【００１２】
【発明の実施の形態】
以下、本発明の実施例について説明する。本発明は織り台（図２）、拡張台（図３、図４）、及び織り台と拡張台を接合して使用するときのカバー（図５）の三点で構成されており、織り台と拡張台とカバーの三点をセットにして使用するときの形すなわち実施例を図６で示している。
【００１３】
織り台（図２）は、発泡ポリエチレン（１）を円形に形成し、上部縁を面取りする。
この発泡ポリエチレンの上部側にドミット芯（２）、フエルト（３）の順で重ねる。他方、発泡ポリエチレンの下部側には布を張った段ボール（４）を置く。そしてこれら（１）から（４）全体を円形に縫って縁にひもを通した布で包む。ドミット芯及びフエルトを重ねるのはピンの刺し心地及び安定性を向上させるためである。
【００１４】
拡張台（図３）の核になるものは、三日月形を半分に切った形状のスタイロフォームを二つ（６）とする。上部側にはドミット芯（２）フェルト（３）を重ね、下部側には板目紙（７）を置く。全体をバイアスに裁った綿ジャージーの布（８）で包む。ドミット芯及びフェルトを重ねることによりボビンの音及び撥ねを軽減する。
また、綿ジャージーの布（８）により全体として一つに形成された拡張台の中央部にマチを形成することにより、より大きな織り台との接合も可能となる。図４はより大きな直径の織り台に接合するために、当該マチの部分を広げた拡張台を示した。
さらに、このマチの部分を形成することにより、この部分で二つに折り畳める機能を持たせることとなり、運搬、保管に際しては、よりコンパクトな形態とすることが可能となる。
【００１５】
図５は本発明の織り台及び拡張台を接合して使うときに使用する布カバー（１２）を示す。
【００１６】
本発明の織り台、拡張台、及びカバーを組み合わせて使用するときの状態を図６に示した。織り台と拡張台が使用中に離れてしまわないようにカバー（１２）と四本のまち針（９）を用いて全体を固定する。
これにより織り台が直径５０ｃｍの場合は、実質的には直径７０ｃｍの織り台と同等の大きさになる。
【００１７】
本発明の事例としては、織り台の詰め物としては発泡ポリエチレンとしているが、これは場合によってはウレタンフォーム、スタイロフォームなどを使うことも可能と考えられる。
また、本事例では円形の織り台と三日月型の拡張台としているが、これは場合によっては四角形の織り台と半円形の拡張台のように、違う形にすることも可能である。
【００１８】
【発明の効果】
この織り台、拡張台、カバーを組み合わせて使用すれば、小さなレースから大きなレースまで製作が可能である。また、織り台はピンの刺し心地も良く、耐久性に優れている。織り台、折り畳み式の拡張台、カバーに分解でき小さくなるので運搬、保管にも便利なボビンレース用織り台である。
【図面の簡単な説明】
【図１】従来技術の平面図である。
【図２】本発明の織り台の平面図及び側面図である。
【図３】本発明の拡張台の平面図及び側面図である。
【図４】本発明の拡張台のマチ部分を広げた場合の平面図である。
【図５】本発明の織り台及び拡張台を接合するときに用いるカバーの平面図である。
【図６】本発明の織り台に拡張台を接合しカバーで固定した使用時の平面図である。
【符号の説明】
１  発泡ポリエチレン
２  ドミット芯
３  フェルト
４  布を張った段ボール
５  布
６  スタイロフォーム
７  板目紙
８  綿ジャージー
９  まち針
１０  織り台
１１  拡張台
１２  カバー
【図１】
0003658746.tif 000002
【図２】
0003658746.tif 000003
【図３】
0003658746.tif 000004
【図４】
0003658746.tif 000005
【図５】
0003658746.tif 000006
【図６】
0003658746.tif 000007